(57)【特許請求の範囲】
【請求項１】
室内外の壁面に設置されるハウジングと、
ロール状のフィルムと、
前記ハウジングのほぼ両端に設置され、前記フィルムの端部をそれぞれ接合し一方側から他方側に巻き取って両方向に搬送自在な第１スプール及び第２スプールと、
前記第１スプールの中心に貫通された第１スプール軸と、
前記第１スプールの外部に配設され、前記第１スプール軸に一体化された張力表示部材と、
前記張力表示部材に隣接して配設される第１回転伝達部材と、
前記張力表示部材を前記第１回転伝達部材に接続し、前記張力表示部材と前記第１回転伝達部材との間で弾性変形して付勢力を付与する緩衝部材と、
前記第１スプールに収納され、前記第１スプール軸と一体化された回転部材と、
前記回転部材を前記第１スプールに接続し、前記回転部材と前記第１スプールの間で前記緩衝部材の弾性変形の伴う付勢力に応じて弾性変形して付勢力を付与する張力付与部材と、
前記第２スプールの中心に貫通されて前記第２スプールに連結する第２スプール軸と、
前記第２スプール軸に保持される第２回転伝達部材と、
前記第２回転伝達部材と前記第２スプール軸との間を切断自在なクラッチ機構と、
前記第１回転伝達部材と前記第２回転伝達部材とに連結し、前記第１回転伝達部材と前記第２回転伝達部材とを同時回転する駆動機構と、を有し、
第１回転伝達部材と前記張力表示部材の各々に所定の張力を示す目盛を付していること、を特徴とする連続掲示装置。
【発明の詳細な説明】
【０００１】
【発明の属する技術分野】
本発明は、例えば、銀行や駅等の建築物の室内外の壁面に設置され、ポスター等の複数のシート状掲示物を順次掲示する連続掲示装置に関するものである。
【０００２】
【従来の技術】
従来、連続掲示装置に関連する先行技術文献としては、特開昭６２−１２４５９０号公報にて開示されたものが知られている。このものには、複数のシート状掲示物（表示体）を順次繰返して掲示する技術が示されている。
【０００３】
【発明が解決しようとする課題】
ところで、上述の連続掲示装置は複数のシート状掲示物を順次繰返して掲示するための構成が複雑であり、掲示したいシート状掲示物の枚数に応じて、その分の奥行きが必要であった。
【０００４】
これに対処するため、シート状掲示物をフィルム表面に沿わせて保持し、そのフィルムを搬送して掲示するような連続掲示装置が考えられる。このものでは、フィルム表面に沿わせて保持された複数のシート状掲示物を確実に搬送し且つ見易く掲示すると共に、その複数のシート状掲示物を伴ったフィルムの巻径をできるだけ小さくすることが重要である。即ち、一対のスプールにフィルム端をそれぞれ接合し所定の張力を付与してフィルムを張架しないと、フィルム表面の弛みで複数のシート状掲示物が見難くなるばかりかフィルムから外れたり、巻径が安定せず搬送異常が生じる可能性が想定される。
【０００５】
そこで、この発明はかかる不具合の予測性を解消するためになされたもので、簡単な構成で複数のシート状掲示物を保持するフィルムに対し、所定の張力を付与して一対のスプール間に張架可能な連続掲示装置の提供を課題としている。
【０００６】
【課題を解決するための手段】
請求項１の連続掲示装置によれば、室内外の壁面に設置されたハウジングは、所定の大きさからなるシート状掲示物に対応する掲示窓を有し、このハウジング内のほぼ両端に設置され電動モータにより回転される一対のスプールは、シート状掲示物を表面に沿わせて保持する透明または半透明なロール状のフィルムを一方側から巻出し他方側に巻取って両方向に搬送自在である。ここで、スプール間にフィルム端が接合されたのち、クラッチ機構にて一対のスプールのうち他方のスプールの軸と回転伝達部材との間が接断される。そして、電動モータにて回転伝達部材から緩衝部材を介して一方のスプールの軸が回転されることで、その外筒との間に内蔵された張力付与部材が弾性変形を伴って付勢される。
【０００７】
【発明の実施の形態】
以下、本発明を具体的な実施の形態に基づいて説明する。
【０００８】
図１は本発明の一実施の形態にかかる連続掲示装置の全体構成を示す正面図、図２は図１の中央縦断面図である。なお、図１は、ハウジング１０にヒンジ接続されている正面カバー１１を開けた状態を示すものである。
【０００９】
図１及び図２において、連続掲示装置１００の外観形状は、正面カバー１１を有して壁面に固定される偏平な直方体形状のハウジング１０からなる。正面カバー１１はハウジング１０にヒンジ接続されている。この正面カバー１１は掲示窓１２を有し、その掲示窓１２には透明アクリル板が嵌込まれている。また、このハウジング１０内には、機構台板１３がヒンジ接続されている。この機構台板１３のほぼ上下両端にはスプール２０，３０が軸支されており、これらスプール２０，３０には上下端の補助ローラ２１，３１を介して半透明なポリエステルフィルムからなるロール状のフィルム４０が巻張されている。なお、スプール２０，３０は後述のように電動モータ７０によってチェーン７１を介して駆動される。
【００１０】
このフィルム４０の表面には、所定の間隔で搬送方向に対して直角方向でほぼ全幅にわたって所定の間隔で複数のホルダ４１が固設されている。隣接するホルダ４１の間隔は、ホルダ４１を介して取付けられるポスター等のシート状掲示物６０の搬送方向の長さによって予め設定され、固設可能なホルダ４１の数は、シート状掲示物６０を伴ったフィルム４０のスプール２０，３０に対する巻取厚みによって物理的に制限される。なお、シート状掲示物６０の搬送方向の両端部には、引張補助部材６１がシート状掲示物６０の表裏に折曲げられて接合されている。
【００１１】
ホルダ４１は、フィルム４０の表面側に複数箇所で鋲止めされた基台４２とその基台４２に対して左右からスライド挿入させて組付けられる押え板４３とその間に配設される複数のスプリング部材５０とからなる。また、ホルダ４１の裏面側には補強シート４０ａが接着にて裏打ちされている。
【００１２】
次に、図２に示すスプール２０，３０の詳細を示す図３及び図４の断面図を参照し、その構成について説明する。
【００１３】
図３は本発明の一実施の形態にかかる連続掲示装置の一方のスプールの構成を示す断面図、図４は本発明の一実施の形態にかかる連続掲示装置の他方のスプールの構成を示す断面図である。
【００１４】
特に、図３は一対のスプール２０，３０のうち一方のスプール２０を示す断面図であり、このスプール２０は左右の鍔部材２０１ａ，２０１ｂが外筒２０２にネジ止めされて一体化されている。鍔部材２０１ａ，２０１ｂの中心を貫通するスプール軸２０３は機構台板１３に軸支され、そのスプール軸２０３に植設されたピン２１２を介して張力表示部材２１１と一体化されている。この張力表示部材２１１は緩衝用スプリング２０５を介してチェーンスプロケット２０４と接続されている。また、スプール軸２０３は、そのスプール軸２０３に植設されたピン２０６を介して外筒２０２内の回転部材２０７と一体化されている。そして、回転部材２０７は外筒２０２内に収納された巻数の多いコイルスプリング２０８を介して鍔部材２０１ｂと接続されている。
【００１５】
このような構成により、チェーンスプロケット２０４が回転されると、緩衝用スプリング２０５、張力表示部材２１１、ピン２１２、スプール軸２０３、ピン２０６及び回転部材２０７を介してコイルスプリング２０８に回転方向の付勢力を与えつつ鍔部材２０１ｂ、即ち、スプール２０全体が回転される。
【００１６】
また、図４は、一対のスプール２０，３０のうち他方のスプール３０を示す断面図であり、このスプール３０は左右の鍔部材３０１ａ，３０１ｂが外筒３０２にネジ止めされて一体化されている。鍔部材３０１ａ，３０１ｂの中心を貫通するスプール軸３０３は機構台板１３に軸支され、そのスプール軸３０３に植設されたピン３１２を介してクラッチ部材３１１と一体化されている。このクラッチ部材３１１とチェーンスプロケット３０４とにはその接続関係を接断自在な対向する凹凸状の爪部３１１ａ，３０４ａからなるクラッチ機構が形成されており、内部に配設されたクラッチ解除のための補助スプリング３１３を付勢しつつネジ３１４にて締めつけられることで噛合され一体化されている。
【００１７】
このような構成により、チェーンスプロケット３０４が回転されると、クラッチ部材３１１、ピン３１２、スプール軸３０３を介して鍔部材３０１ｂ、即ち、スプール３０全体が回転される。
【００１８】
連続掲示装置１００の駆動系は、図５に示すように、等しい歯数に設定されたスプール２０のチェーンスプロケット２０４及びスプール３０のチェーンスプロケット３０４は電動モータ７０によってチェーン７１を介して等速度で時計方向または反時計方向に同時回転される。したがって、フィルム４０はスプール２０，３０のうちの一方側から巻出され、スプール２０，３０のうちの他方側に巻取られることで上下方向に搬送自在である。
【００１９】
次に、図３及び図４に示す一対のスプール２０，３０にフィルム４０を巻取って巻張し、所定の張力をフィルム４０に付与するときの初期動作について、本発明の一実施の形態にかかる連続掲示装置の駆動系の構成を示す図５、張力付与に関連するスプール２０，３０の要部構成を示す図６及び図７を参照して説明する。
【００２０】
図５は本発明の一実施の形態にかかる連続掲示装置の駆動系を示す構成図、また、図６は本発明の一実施の形態にかかる連続掲示装置の一方のスプールの要部を示す構成図、図７は本発明の一実施の形態にかかる連続掲示装置の他方のスプールの要部を示す構成図である。
【００２１】
まず、予め複数のホルダ４１が固設されたフィルム４０の両端がそれぞれスプール２０，３０に接合され固定される。次に、図７（ａ）から図７（ｂ）に示すように、チェーンスプロケット３０４をスプール軸３０３に固定しているネジ３１４を途中まで緩める。このとき、クラッチ解除のための補助スプリング３１３の付勢力が作用してチェーンスプロケット３０４がネジ３１４と共に移動され、チェーンスプロケット３０４の爪部３０４ａとクラッチ部材３１１の爪部３１１ａとが切断される。次に、例えば、鍔部材３０１ｂが機構台板１３側に固定され、スプール３０の外筒３０２側が回転しないように保持される。この状態で、図示しない手動スイッチにて電動モータ７０を回転させチェーン７１を図５で時計方向に循環させると、スプール３０のスプール軸３０３は回転されず、チェーンスプロケット３０４のみが回転される。即ち、スプール３０の外筒３０２は回転されず保持された状態で、チェーン７１を介してスプール２０のチェーンスプロケット２０４が図５で時計方向に回転され続ける。すると、ロール状のフィルム４０はスプール２０の外筒２０２に順次巻取られ、フィルム４０の巻取り終了時点にてフィルム４０のスプール２０，３０間での弛みがなくなることとなる。
【００２２】
この時点から更に、電動モータ７０を回転させチェーン７１を図５で時計方向に循環させ、スプール２０のチェーンスプロケット２０４が所定の回数だけ余分に回転される。これは、スプール２０のチェーンスプロケット２０４から緩衝用スプリング２０５、張力表示部材２１１、ピン２１２、スプール軸２０３、ピン２０６、回転部材２０７を介した伝達経路でスプール２０内のコイルスプリング２０８に所定の付勢力を付与しフィルム４０に所定の張力を付与するためである。
【００２３】
次に、フィルム４０への張力付与動作について詳述する。
【００２４】
スプール２０，３０間でのフィルム４０の弛みがなくなったのち、電動モータ７０を回転させチェーン７１を時計方向に循環させる初期段階では、緩衝用スプリング２０５の捩じり弾性変形による付勢力によって付与されるコイルスプリング２０８の捩じり弾性変形による付勢力は弱く、図６（ａ）に示すように、チェーンスプロケット２０４側に予め接合された張力表示シール２０４ａの矢印は張力表示部材２１１の張力表示シール２１１ａの弱側であり、フィルム４０の張力が弱いことを示すものである。
【００２５】
そして、更に、電動モータ７０を回転させチェーン７１を時計方向に循環させると、スプール２０，３０は停止されたままであるため、緩衝用スプリング２０５の捩じり弾性変形による付勢力によって付与されるコイルスプリング２０８の捩じり弾性変形による付勢力は段々強くなり、図６（ｂ）に示すように、チェーンスプロケット２０４側に予め接合された張力表示シール２０４ａの矢印は張力表示部材２１１の張力表示シール２１１ａの中央の矢印と一致し、フィルム４０の張力が所定の張力となったことを示す。したがって、この電動モータ７０による初期動作が終了され電動モータ７０が停止された状態では、一対のスプール２０，３０間に巻張されたフィルム４０に対して所定の張力が付与されることとなる。
【００２６】
こののち、図７（ａ）に示すように、チェーンスプロケット３０４を再びスプール軸３０３にネジ３１４で締付けることで、チェーンスプロケット３０４の爪部３０４ａとクラッチ部材３１１の爪部３１１ａとが接続される。そして、機構台板１３側に固定された鍔部材３０１ｂの保持状態が解除され、フィルム４０への張力付与動作が終了する。
【００２７】
このように、フィルム４０に所定の張力が付与されたのちにおいては、電動モータ７０によって等しい歯数に設定されたスプール２０のチェーンスプロケット２０４及びスプール３０のチェーンスプロケット３０４はチェーン７１を介して等速度で時計方向または反時計方向に同時回転される。したがって、フィルム４０はスプール２０，３０のうちの一方側から巻出され、スプール２０，３０のうちの他方側に巻取られることで上下方向に搬送自在となる。このとき、スプール２０，３０の巻径に相違が生じていても、スプール２０内のコイルスプリング２０８の巻数に多少変化が生じるのみであって、その巻出し・巻取りの誤差はコイルスプリング２０８によって吸収される。そして、スプール２０，３０間に巻張されたフィルム４０の張力はほぼ一定に保持され続けるのである。
【００２８】
次に、フィルム４０面上のシート状掲示物６０をハウジング１０の正面カバー１１の掲示窓１２に対して、所定の位置に停止させる構成及びその動作について図１及び図２を参照して説明する。
【００２９】
図１及び図２において、フィルム４０の搬送方向における端面の近傍の表面には、フィルム４０表面に固設されたホルダ４１との位置関係から決まる位置及び巻取順を示すバーコードからなる検出用指標４５が設けられている。この検出用指標４５に対向してハウジング１０の機構台板１３には位置検出器１５が配設されている。また、位置検出器１５はハウジング１０に配設されたコントロールユニット１６と電気的に接続されている。このため、フィルム４０の搬送状態において、位置検出器１５にてフィルム４０の検出用指標４５が読取られ、ハウジング１０にヒンジ接続された正面カバー１１の掲示窓１２に対するシート状掲示物６０の位置とシート状掲示物６０の巻取順とがコントロールユニット１６にて判定される。この判定結果に基づき、コントロールユニット１６は電気的に接続された電動モータ７０を駆動・停止させることができる。また、コントロールユニット１６のプログラム機能を用いることで、例えば、複数のシート状掲示物６０を所定時間ずつ順次掲示させ、所定のシート状掲示物に到達したら電動モータ７０を逆回転に切換えフィルム４０を巻戻すことで繰返し掲示させたりすることができる。
【００３０】
なお、フィルム４０は、ハウジング１０の正面カバー１１の掲示窓１２の周辺で搬送方向両側に取付けられた搬送ガイド部材１８と摺動され、掲示窓１２と所定の間隔が保持されつつ搬送される。
【００３１】
次に、ハウジング１０内にてシート状掲示物６０を裏面側から照明するための構成及びその作用について図２を参照して説明する。
【００３２】
図２において、ハウジング１０内のほぼ中央背面側には大きさの異なる２つの丸形蛍光灯８１ａ，８１ｂが固定され配設されている。これらの丸形蛍光灯８１ａ，８１ｂに対して、縦２面及び横２面の傾斜枠構造からなる反射部材８２の構造体が機構台板１３に固設されている。そして、反射部材８２のフィルム４０の裏面側となる位置には乳白色アクリルからなる拡散板８３が配設されている。このため、丸形蛍光灯８１ａ，８１ｂからの光は直接または反射部材８２で反射されて拡散板８３に到達され、フィルム４０を介してシート状掲示物６０が裏面側からほぼ均一に照明される。
【００３３】
このように、本発明の一実施の形態の連続掲示装置１００は、室内外の壁面に設置され、所定の大きさからなるシート状掲示物６０に対応する掲示窓１２を有するハウジング１０と、シート状掲示物６０を表面に沿わせて保持する透明または半透明なロール状のフィルム４０と、ハウジング１０内のほぼ両端に設置され、フィルム４０端をそれぞれ接合し一方側から巻出し他方側に巻取って両方向に搬送自在な一対のスプール２０，３０と、一対のスプール２０，３０の入力段にそれぞれ配設された回転伝達部材としてのチェーンスプロケット２０４，３０４と、チェーンスプロケット２０４，３０４を介して一対のスプール２０，３０を回転する電動モータ７０と、一対のスプール２０，３０のうち一方のスプール２０のスプール軸２０３とチェーンスプロケット２０４との間に配設され、それらの間で弾性変形を伴って回転を伝達する緩衝部材としての緩衝用スプリング２０５と、一方のスプール２０のスプール軸２０３と外筒２０２との間に内蔵され、それらの間で弾性変形を伴って回転を伝達する張力付与部材としてのコイルスプリング２０８と、一対のスプール２０，３０のうち他方のスプール３０のスプール軸３０３とチェーンスプロケット３０４との間を接断自在なクラッチ機構を達成するチェーンスプロケット３０４の爪部３０４ａ及びクラッチ部材３１１の爪部３１１ａを具備するものである。
【００３４】
したがって、室内外の壁面に設置されたハウジング１０は、所定の大きさからなるシート状掲示物６０に対応する掲示窓１２を有し、このハウジング１０内のほぼ両端に設置され電動モータ７０により回転される一対のスプール２０，３０は、シート状掲示物６０を表面に沿わせて保持する透明または半透明なロール状のフィルム４０を一方側から巻出し他方側に巻取って両方向に搬送自在である。ここで、スプール２０，３０間にフィルム４０端が接合されたのち、チェーンスプロケット３０４の爪部３０４ａ及びクラッチ部材３１１の爪部３１１ａにて達成されるクラッチ機構にて一対のスプール２０，３０のうち他方のスプール３０のスプール軸３０３とチェーンスプロケット３０４との間が接断される。そして、電動モータ７０にてチェーンスプロケット２０４から緩衝スプリング２０５を介して一方のスプール２０のスプール軸２０３が回転されることで、その外筒２０２との間に内蔵されたコイルスプリング２０８が付勢される。このため、一対のスプール２０，３０間に巻張されたフィルム４０には所定の張力が付与される。このような簡単な構成で、フィルム４０に所定の張力が付与され、その表面の弛みがないため複数のシート状掲示物６０が確実に保持されると共に、フィルム４０の巻径が安定するため搬送不良を防止することができる。
【００３５】
また、張力表示部材２１１とチェーンスプロケット２０４に目盛を付し、回転方向の変位に伴なう強弱を示すものであるから、現在の緩衝スプリング２０５の弾性力の付与の状態及びこれから設定すべき付与の状態が目視でき、任意の弾性力の値に設定可能である。
【００３６】
ところで、上記実施の形態のクラッチ機構は、チェーンスプロケット３０４の爪部３０４ａとクラッチ部材３１１の爪部３１１ａとが接断されることで達成されるとしたが、本発明を実施する場合には、これに限定されるものではなく、必要に応じてチェーンスプロケット３０４とスプール軸３０３との間が接断自在であればよく、種々の一方向クラッチ機構を採用することもできる。
【００３７】
また、上記実施の形態の緩衝部材及び張力付与部材は、緩衝スプリング２０５及びコイルスプリング２０８としたが、本発明を実施する場合には、これに限定されるものではなく、弾性変形を伴って回転を伝達するものであればよい。
【００３８】
【発明の効果】
以上説明したように、請求項１の連続掲示装置によれば、室内外の壁面に設置されたハウジングは、所定の大きさからなるシート状掲示物に対応する掲示窓を有し、このハウジング内のほぼ両端に設置され電動モータにより回転される一対のスプールは、シート状掲示物を表面に沿わせて保持する透明または半透明なロール状のフィルムを一方側から巻出し他方側に巻取って両方向に搬送自在である。ここで、スプール間にフィルム端が接合されたのち、クラッチ機構にて一対のスプールのうち他方のスプールの軸と回転伝達部材との間が接断される。そして、電動モータにて回転伝達部材から緩衝部材を介して一方のスプールの軸が回転されることで、その外筒との間に内蔵された張力付与部材が弾性変形を伴って付勢される。これにより、一対のスプール間に巻張されたフィルムには所定の張力が付与され、その表面の弛みがないため複数のシート状掲示物が確実に保持されると共に、フィルムの巻径が安定するため搬送不良を防止することができるという効果が得られる。
【図面の簡単な説明】
【図１】 図１は本発明の一実施の形態にかかる連続掲示装置の全体構成を示す正面図である。
【図２】 図２は図１の中央縦断面図である。
【図３】 図３は本発明の一実施の形態にかかる連続掲示装置の一方のスプールの構成を示す断面図である。
【図４】 図４は本発明の一実施の形態にかかる連続掲示装置の他方のスプールの構成を示す断面図である。
【図５】 図５は本発明の一実施の形態にかかる連続掲示装置の駆動系を示す構成図である。
【図６】 図６は本発明の一実施の形態にかかる連続掲示装置の一方のスプールの要部を示す構成図である。
【図７】 図７は本発明の一実施の形態にかかる連続掲示装置の他方のスプールの要部を示す構成図である。
【符号の説明】
１０ ハウジング
１２ 掲示窓
２０，３０ スプール
４０ フィルム
６０ シート状掲示物
７０ 電動モータ
１００ 連続掲示装置
２０２ 外筒
２０３，３０３ スプール軸
２０４，３０４ チェーンスプロケット（回転伝達部材）
２０５ 緩衝用スプリング（緩衝部材）
２０８ コイルスプリング（張力付与部材）
３１１ クラッチ部材
３０４ａ，３１１ａ 爪部（クラッチ機構）
【図１】
0003690856.tif 000002
【図２】
0003690856.tif 000003
【図３】
0003690856.tif 000004
【図４】
0003690856.tif 000005
【図５】
0003690856.tif 000006
【図６】
0003690856.tif 000007
【図７】
0003690856.tif 000008